(57)【要約】【課題】効率よく配線可能なスペースを備え、光ケーブルを無理なく取り回すことで光ケーブルの破断を防止することができる、システムラックユニットを提供する。【解決手段】ユニット底板と、光通信用パッチパネルとを有するシステムラックユニットであって、前記ユニット底板は、前記光通信用パッチパネル及び、前記ユニット底板の前端から後端までを貫通する光ケーブル誘導空間が設置され、前記光通信用パッチパネルの前面に接続された一又は複数本の光ケーブルは、前記光ケーブル誘導空間を通過して前記ユニット底板の前端から後端へ直通するように配線され、前記光ケーブルの配線は、前記光ケーブル許容曲げ半径より大きい半径長で前記ユニット底板に設置されており、光ケーブルを無理なく取り回すことで光ケーブルの破断を防止することができる、システムラックユニット【選択図】図２
2014197043.tif 000002
【特許請求の範囲】
【請求項１】
ユニット底板と、光通信用パッチパネルとを有するシステムラックユニットであって、
前記ユニット底板は、前記光通信用パッチパネル及び、前記ユニット底板の前端から後端までを貫通する光ケーブル誘導空間が設置され、
前記光通信用パッチパネルの前面に接続された一又は複数本の光ケーブルは、前記光ケーブル誘導空間を通過して前記ユニット底板の前端から後端へ直通するように配線され、
前記光ケーブルの配線は、前記光ケーブル許容曲げ半径より大きい半径長で前記ユニット底板に設置されていること
を特徴とするシステムラックユニット。
【請求項２】
前記光ケーブル誘導空間は、前記ユニット底板の前端から後端まで障害物が設置されず、前記システムラックユニットの正面視で直線的に空間が貫通するように設置されていることを特徴とする請求項１に記載のシステムラックユニット。
【請求項３】
前記光通信用パッチパネルは、前記ユニット底板の前端と平行し、右端又は左端に寄せて設置されていることを特徴とする請求項２に記載のシステムラックユニット。
【請求項４】
前記ユニット底板は、前記ユニット底板に設置した光通信用パッチパネル及び光ケーブルを、設置したまま前方向にスライド可能なスライド機構を有すること
を特徴とする請求項１乃至請求項３に記載のシステムラックユニット。
【請求項５】
前記光ケーブル誘導空間の高さは、前記システムラックユニットの高さ未満であることを特徴とする請求項１乃至請求項４の何れか１に記載のシステムラックユニット。
【発明の詳細な説明】
【技術分野】
【０００１】
本発明は、光回線を中継する、光配線用パッチパネルを固定するためのシステムラックユニットにおいて、効率よく配線可能なスペースを備え、光ケーブルを無理なく取り回すことで光ケーブルの破断を防止することができる、光通信の配線に使用する、システムラックユニットに関する。
【背景技術】
【０００２】
放送局等で、放送用機器間の映像又は音声の通信回線用に、光通信が使用されている。地上デジタルテレビ用の信号は、ビットレートが高い（約１．５Ｇｂｐｓ）ため、電気信号（同軸ケーブル）では、信号の伝送ロスが大きく、５Ｃ−ＦＢ同軸ケーブルが１００ｍ以上の長さの場合、信号を伝送することができない。そこで、電気信号（同軸ケーブル）から光信号（光ケーブル）へと信号を電気−光（ｅｌｅｃｔｒｉｃａｌ−ｔｏ−ｏｐｔｉｃａｌ，  Ｅ／Ｏ）変換器で変換した後、光ケーブルを使用する主幹ケーブルで信号を伝達する必要がある。
【０００３】
放送用機器からＥ／Ｏ変換後の光信号を主幹ケーブルを用いて、他の場所にある第二の放送用機器へ向けて送信した後、第二の放送用機器は、受信前に光−電気（ｏｐｔｉｃａｌ−ｔｏ−ｅｌｅｃｔｒｉｃａｌ，Ｏ／Ｅ）変換器で光信号（光ケーブル）から電気信号（同軸ケーブル）へと信号を再変換しなければ、信号を処理することができない。ここで、第二の放送用機器に向けた主幹ケーブルは、システムラックユニットの融着トレイ及びパッチパネルで分配されたのち、Ｏ／Ｅ変換器で電気信号（同軸ケーブル）へと信号を再変換する。
【０００４】
［システムラックの構成］
図５（ａ）及び（ｂ）を用いて、従来の光配線用パッチパネルの使用方法を説明する。図５（ａ）は従来の光配線用パッチパネルを示した図、図５（ｂ）は、従来の光配線用パッチパネルを設置したシステムラックの斜視図である。
【０００５】
システムラック１００は１９インチラックが標準として一般的に広く使用されている。システムラック１００の内部には、光通信用機器１１０を取り付ける為の、柱状のマウントアングル１０５（１０５ａ〜１０５ｄ）が、底面から天井面に掛けてシステムラック１００の四隅にそれぞれ配置され、マウントアングル１０５ａ〜１０５ｄに挟まれた空間は、光通信用機器１１０を収容するための複数個のユニット格納スペース１０３がマウントアングル１０５内に設けられる。
【０００６】
マウントアングル１０５には、ＥＩＡ（Ｅｌｅｃｔｒｏｎｉｃ  Ｉｎｄｕｓｔｒｉｅｓ  Ａｌｌｉａｎｃｅ）規格及び／又はＪＩＳ（Ｊａｐａｎｅｓｅ  Ｉｎｄｕｓｔｒｉａｌ  Ｓｔａｎｄａｒｄｓ）規格により定められた間隔で、多数のネジ穴４が設けられている。光通信用機器１１０は、規格された高さ１Ｕ（＝１．７５インチ（＝４４．４５ｍｍ））の整数倍、例えば１Ｕ〜４Ｕ程度で製作され、ユニット格納スペース１０３に挿入され、光通信用機器１１０の前面に設けられたネジ穴（図示せず）をネジ（図示せず）で螺合し、マウントアングル１０５に固定される。
【０００７】
図５（ｂ）に示すように、ユニット格納スペース１０３に収容される光通信用機器１１０、１１０ａ乃至１１０ｄは、コネクタ付き光ケーブル１３０で接続される光伝送用の各種の機器やアダプタ類で、ＥＩＡ規格、ＪＩＳ規格等に準拠した状態で、マウントアングル１０５にラックマウントされる。
【０００８】
図５（ａ）に示す、融着トレイ１３２は、外部からマウントアングル１０５内に引き込まれた幹線ケーブル１３１を、コネクタ付き光ケーブル１３０に融着する機能を有する。融着トレイ１３２は、ユニット枠１１１に搭載することで、作業スペースの確保をすることができる。図５（ｂ）はユニット枠１１１をユニット格納スペース１０３に格納した状態を示す。
【０００９】
パッチパネル１２１は、融着トレイ１３２から引き出された融着用光ケーブル１３１を、コネクタ接続するアダプタで、パッチパネル１２１にコネクタ接続した光ケーブル１３０は、他のユニット格納スペース１０３に格納された光通信用機器１１０ａ〜１１０ｄ等に接続される。
【００１０】
ここで、幹線ケーブル１３１及びパッチパネル１２１にコネクタ接続した光ケーブル１３０は、ユニット枠１１１の可動を考慮して、余裕のある長さを有するようにする。
また、例えば、ユニット枠１１１上に出入りする幹線ケーブル１３１や光ケーブル１３０は、ユニット枠１１１上では、特に固定しない。マウントアングル１０５上の適切な位置に、固定具（図示せず）によって固定しておく。
【００１１】
また、特許文献１では、光接続箱において、可動式機器搭載トレイ１１に搭載される光通信用機器７は、外部から収納ラック本体５内に引き込まれた光ケーブル１９を、コネクタ付き光コード２１に融着する融着トレイであり、融着トレイ７は、融着処理や保守の際に、広い作業スペースを必要とするために、既述のように、可動式機器搭載トレイ１１に搭載して収納ラック本体５より引き出すことにより、作業用スペースの確保を計る発明が開示されている。
【先行技術文献】
【特許文献】
【００１２】
【特許文献１】特開２００４−１４４８０８号公報
【発明の概要】
【発明が解決しようとする課題】
【００１３】
しかしながら、光ケーブルは、容易に破断しやすいため、施工中や、施工後も折り曲げ等の取り扱いに注意が必要である。光ケーブル許容曲げ半径については、光ケーブル毎に異なるが、基本的には、ＡＮＳＩ／ＴＩＡ−５６８−Ｃ．０の規格をクリアするように作られている。ユニット格納スペースに設置する際、又は設置後の保守や、特許文献１に係る可動式機器搭載トレイ１１を可動する場合にも、配線用ラック１の構造物に引っかかる、ぶつかる等により、光ケーブル１３０の破断に注意する必要がある。
【００１４】
また、従来の場合、図５（ａ）に示すように、パッチパネル１２１は、システムラック１００の前面にコネクタが配置される場合が多く、光通信用機器１１０ａ〜１１０ｄの前面のパネルは、操作用のスイッチや、表示装置が設置されており、光ケーブルの入力端子は、背面に設置されている場合が多い。そこで、パッチパネル１２１の前面にコネクタ接続された光ケーブル１３０を、スペース１１４で引き回して束にし、光通信用機器１１０の背面に引き回す必要が生じる。
【００１５】
この場合、光ケーブル１３０の本数が多い場合は、光ケーブル許容曲げ半径の制限もあり、１Ｕ分のユニット格納スペース１０３を専有して前面から背面に光ケーブル１３０の束を引き回すこととなり、ユニット格納スペース１０３に設置する光通信用機器１１０の台数が減少することになる。
【００１６】
そこで、本発明は、光ケーブルに負荷を掛けずに、パッチパネルの前面にコネクタ接続された光ケーブルを光通信用機器の背面まで引き回す事が容易で、かつ、他のユニット格納スペースを専有することなく、省スペース化が可能な、システムラックユニットを提供することを目的とする。
【課題を解決するための手段】
【００１７】
本発明に係るシステムラックユニットは、ユニット底板と、光通信用パッチパネルとを有するシステムラックユニットであって、前記ユニット底板は、前記光通信用パッチパネル及び、前記ユニット底板の前端から後端までを貫通する光ケーブル誘導空間が設置され、前記光通信用パッチパネルの前面に接続された一又は複数本の光ケーブルは、前記光ケーブル誘導空間を通過して前記ユニット底板の前端から後端へ直通するように配線され、前記光ケーブルの配線は、前記光ケーブル許容曲げ半径より大きい半径長で前記ユニット底板に設置されていることを特徴とする。
【００１８】
本発明に係るシステムラックユニットの前記光ケーブル誘導空間は、前記ユニット底板の前端から後端まで障害物が設置されず、前記システムラックユニットの正面視で直線的に空間が貫通するように設置されていることを特徴とする。
【００１９】
本発明に係るシステムラックユニットの前記光通信用パッチパネルは、前記ユニット底板の前端と平行し、右端又は左端に寄せて設置されていることを特徴とする。
【００２０】
本発明に係るシステムラックユニットの前記ユニット底板は、前記ユニット底板に設置した光通信用パッチパネル及び光ケーブルを、設置したまま前方向にスライド可能なスライド機構を有することを特徴とする。
【００２１】
本発明に係るシステムラックユニットの前記光ケーブル誘導空間の高さは、前記システムラックユニットの高さ未満であることを特徴とする。
【発明の効果】
【００２２】
本発明によれば、システムラックユニット前面に接続された光ケーブルをラックユニット底板に固定したままシステムラックユニット背面まで引き回すことができるので、光ケーブルの曲げ半径が固定されることで、光ケーブルに余分な負荷が掛かることがなく、光ケーブル破断の危険を減らすことができる。
【００２３】
本発明によれば、システムラックユニット前面から、背面まで貫通する光ケーブルを敷設する設置スペースを設け、光ケーブルをユニット機器内でラック前面からラック背面まで引き回すことができるので、ユニット格納スペースを光ケーブルで専有することがなく、ラック内のユニット格納スペースを有効に使用することができる。
【００２４】
また、本発明によれば、格納スペース内に設置したシステムラックユニットがスライド機構を有するので、システムラックユニットを、ラック本体のユニット格納スペース内からスライドして引き出すことができるので、システムラックユニットに設置した機器のメンテナンスが容易となる。
【図面の簡単な説明】
【００２５】
【図１】本発明のシステムラックユニットの正面図である。
【図２】本発明のシステムラックユニットの正面を上方から俯瞰した図である。
【図３】本発明のシステムラックユニットの背面図である。
【図４】本発明の光通信と電気通信の接続関係を示す図である。
【図５】従来の光配線用パッチパネルを設置したシステムラックを示す図であり、（ａ）は従来の光配線用パッチパネルを示した図、図５（ｂ）は、従来の光配線用パッチパネルを設置したシステムラックの斜視図である。
【発明を実施するための形態】
【００２６】
［本発明の実施形態］
以下、図面１乃至図４を用いて、本発明の実施形態を説明する。
図１は本発明のシステムラックユニットの正面図、図２は、本発明のシステムラックユニットの正面を上方から俯瞰した図、図３は本発明のシステムラックユニットの背面図、図４は光通信と電気通信の接続関係を示す図である。
【００２７】
図１に示すように、ユニット機器１０は、１Ｕ以上の高さがあり、フランジ１１のねじ６とマウントアングル５のネジ穴４がネジ６によって、固定されている。また、ユニット機器１０の下部にユニット機器１０ａが、上部にはユニット機器１０ｂが上下の隙間なく設置されている。
【００２８】
ユニット機器１０はマウントアングル５ａ及び５ｂ間に固定されており、スライド開放ネジ１４を回して緩めると、スライド機構１３とユニット底板１２が分離し、システムラック１の前面からユニット底板１２が前方に引き出し可能となる。ユニット底板１２及びユニット底板１２上に設置された機器が前方に引き出され、システムラック１から露出することにより、これらの機器のメンテナンスを容易にすることができる。
【００２９】
パッチパネル２１は、複数の前面用光コネクタ２２と前面用光コネクタ２２と対に設置されている複数の融着側光コネクタ２３を有する、ネットワークの配線作業を支援するための中継端子盤である。融着トレイ３３で融着された複数の融着用光ケーブル３０ａを複数の融着側光コネクタ２３に結合し、前面用光コネクタ２２には、他のユニット機器１０に接続する為に必要な光ケーブル３０を結合する。前面用光コネクタ２２及び融着側光コネクタ２３は、一般的なＳＣコネクタやＭＣコネクタ等を使用する。
【００３０】
また、パッチパネル２１の左端と、ユニット底板１２から立設する左側壁１２ａとが接触して備え付けられているが、パッチパネル２１の右端は、ユニット底板１２から立設する右側壁１２ｂと非接触となっており、光ケーブル誘導空間２５を成す空間が設けられている。
【００３１】
作業スペース１５（図２に示す鎖線で囲まれた範囲）は、パッチパネル２１の前に位置し、前面用光コネクタ２２に結合した光ケーブル３０を光ケーブル誘導空間２５に挿入する為に、所定の半径Ｒで曲げる動作及び複数本の光ケーブル３０を束ねるための作業スペースである。作業スペース１５の奥行きＬは、半径Ｒ以上であれば良く、半径Ｒは、光ケーブル３０の光ケーブル許容曲げ半径に依存する。また、光ケーブル許容曲げ半径の規格は、ＡＮＳＩ／ＴＩＡ−５６８−Ｃ．０の規格に準拠している。
【００３２】
また、作業スペース１５で光ケーブル３０を束ねたり、ユニット底板１２に第二ケーブルクランプ２８で固定することで、光ケーブル３０の許容曲げ半径以上の曲げや、ぶらつきによる接触、突発的な圧力による想定外の曲げ等を防ぎ、光ケーブル３０の破断を防止することができる。
【００３３】
光ケーブル誘導空間２５（図２に示す点線で囲まれた空間）は、ユニット機器１０を正面視すると、光ケーブル誘導空間２５はユニット機器１０の前面端部から、背面端部まで、途中に障害が設けられておらず、直線的に貫通する様に設けられた空間であり、光ケーブル３０を前記ユニット底板の前端から後端まで障害物にあたらず、最短距離で設置することができる。
【００３４】
また、光ケーブル誘導空間２５は、光ケーブル３０を半径Ｒ以上に曲げないような状態で固定できる位置に、ケーブルクランプ２７及び第二ケーブルクランプ２８を備えている。前述のように、本実施例では、光ケーブル誘導空間２５はユニット底板１２の右端部に設けられている。
【００３５】
光ケーブル３０は光ケーブル誘導空間２５を疎通することで、光ケーブル３０の許容曲げ半径以上の曲げ、ぶらつきによる接触、想定外の曲げ等を防ぎ、光ケーブル３０の破断を防止することができる。
【００３６】
また、他のユニット格納スペース３を光ケーブル３０が専有することなく、パッチパネル２１の前面（図２に示す、ユニット機器１０の前面）から、ユニット機器１０の背面に光ケーブル３０を引き回すことができる（図３に示す）。ユニット機器１０の背面に引き回された光ケーブル３０は、他のユニット機器１０ａ（光−電気変換器４２）の背面に接続される。
【００３７】
主幹ケーブル３２は、他のシステムラックから入力される通信信号を伝達するための光ケーブルである。他の場所にある放送機器から通信信号を伝達する際に、放送機器から電気信号を同軸ケーブルで出力し、Ｅ／Ｏ変換器で光信号に変換した後、主幹ケーブル３２を用いてで信号を伝達する。
【００３８】
融着トレイ３３は、主幹ケーブル３２で伝達された光信号を分配するための機器である。融着トレイ３３の内部（図示せず）は、光ケーブル３０の余長を確保するために周回させる巻部（図示せず）が用意されている。また、主幹ケーブル３２を分配するために、主幹ケーブル３２の終端と融着用光ケーブル３０ａとを融着する。融着した融着用光ケーブル３０ａは、融着トレイ３３から引き出され、パッチパネル２１の融着側光コネクタ２３に接続される。
【００３９】
光−電気（Ｏ／Ｅ：ｏｐｔｉｃａｌ−ｔｏ−ｅｌｅｃｔｒｉｃａｌ）変換器４２は、光ケーブル３０から流れてきた光信号を、電気信号に変換する機能を有する。なお、一の融着トレイから引き出された複数の融着用光ケーブル３０ａ及び複数の光ケーブル３０は、複数のＯ／Ｅ変換器４２に分配するように接続しても良い。各放送機器４３は光信号の入力を受け付けないからである。電気信号は同軸ケーブル４４で一又は複数の放送機器４３に送られる。
【００４０】
［光ケーブルの敷設例］
以下に、通信データの流れについて図２乃至図４を用いて説明する。
図２に示すように、他の場所に設置された放送用機器からの主幹ケーブル３２が、ユニット機器１０内の融着トレイ３３に引き込むように配線される。融着トレイ３３の内部（図示せず）では、主幹ケーブル３２を巻部（図示せず）に数回巻いて収納する。主幹ケーブル３２の長さ調整をしたり、主幹ケーブル３２に張力が掛かった場合に、光ケーブル同士の融着部に直接力が掛かって破損することを防ぐためである。融着トレイ３３内に引き込まれた主幹ケーブル３２の終端は、分配する必要本数分の融着用光ケーブル３０ａと融着する。それぞれ光ケーブルの心線であるガラス線を融着機で融着し、保護スリープ（図示せず）で接続部分を保護する。融着については、既存の方法で行う。
【００４１】
融着した融着用光ケーブル３０ａは、融着トレイ３３から引き出され、パッチパネル２１の融着側光コネクタ２３に接続される。このとき、融着用光ケーブル３０ａと融着側光コネクタ２３の接続本数は、必要な数だけ行っても良いし、又は、設置後の融着用光ケーブル３０ａは困難であるので、予め全ての融着側光コネクタ２３と接続する様に融着用光ケーブル３０ａの本数を設置しても良い。
【００４２】
次に、融着用光ケーブル３０ａと接続された融着側光コネクタ２３と対をなす前面用光コネクタ２２に、必要本数分の光ケーブル３０を接続する。この時、光ケーブル３０の曲げは、半径Ｒ以下にならない用に留意し、半径Ｒ以上で作業スペース１５に固定したり、複数の光ケーブル３０を束ねるようにする。束ねた光ケーブル３０は、第二ケーブルクランプ２８で作業スペース１５に固定しておくことが望ましい。光ケーブル３０をパッチパネル２１に近い位置に固定することで、半径Ｒの角度を維持し、前面用光コネクタ２２及び光ケーブル３０の接続コネクタの負担を低減またすることができ、破断の原因となる急激な曲げや不意の過大な圧力が掛かるのを防止することができる。
【００４３】
束ねた光ケーブル３０は、パッチパネル２１と右側壁１２ｂの間に設けられた光ケーブル誘導空間２５を疎通させる。光ケーブル誘導空間２５内では、光ケーブル３０の余長を十分に取るために、光ケーブル３０を周回して束ね、固定することが望ましい。接続先のユニット機器１０のユニット格納スペース３の位置が変更された場合に、光ケーブル３０の長さを調整するためである。なお、周回時の光ケーブル３０の曲げも、半径Ｒ以上とする。
【００４４】
光ケーブル３０の固定は、ケーブルクランプ２７又は第二ケーブルクランプ２８によって行う。ケーブルクランプ２７は、ロの字形、又はコの字形に形成することにより、幾重も周回した光ケーブル３０を係止することが可能である。
【００４５】
図３に示すように、束ねた光ケーブル３０は、光ケーブル誘導空間２５を通過して、ユニット機器１０の背面に出す。この時、スライド１３が移動する際に光ケーブル３０が移動に伴って前後する余長の長さを確保して接続すると、光ケーブル３０に負担が掛からず、破断の危険性が低下する。また、光ケーブル３０が光ケーブル誘導空間２５の内部、つまり、ユニット機器１０の高さ未満に固定されているので、従来の様にスライド１３が移動する際に、ユニット格納スペース３の内部で上下運動にさらされて不意の接触事故等を生じることもなく、光ケーブル３０に負担が掛からずに、破断の危険性が低下する。
【００４６】
そして、Ｏ／Ｅ変換器４２の背面端子に接続する。図４に示すように、Ｏ／Ｅ変換器４２は光ケーブル３０の信号を、光信号から電気信号に変換して、同軸ケーブル４４に電気信号を出力する。同軸ケーブル４４は通信の到達目的の放送機器４３に接続され、信号を伝達する。
【００４７】
このように、光ケーブル３０へ負担が掛からない様にすることが可能であり、破断の危険性が低下する。また、従来は光ケーブル３０が専有していたユニット格納スペース３にユニット機器１０等を増設することができ、システムラック１のスペース資源を有効に活用することができる。このように、省スペース化によって、システムラック１へ機器の搭載を増やせることで、システムラック１の設置個数の削減等、コストダウンを計る事ができる。
［その他の実施形態］
【００４８】
上記の実施例では、光ケーブル誘導空間２５は、パッチパネル２１の左端と、ユニット底板１２から立設する左側壁１２ａとが接触して備え付けることで、図２に示すように、正面からみて、ユニット底板１２の右端に設けられているが、この構造に限定することはない。
【００４９】
例えば、パッチパネル２１の右端と右側壁１２ｂと接触し、パッチパネル２１の左端と左側壁１２ａとを非接触として、正面からみて、ユニット底板１２の左端に光ケーブル誘導空間２５を設ける構成にしても良い。又は、パッチパネル２１を左右２つに分離し、それぞれ、左側壁１２ａと右側壁１２ｂに接触して設置し、２つのパッチパネル２１の中間に光ケーブル誘導空間２５を設けるようにしても良い。
【００５０】
また、ユニット底板１２の構造は、融着トレイ３３、パッチパネル２１、及び光ケーブル誘導空間２５が設けられていれば良いため、左側壁１２ａと右側壁１２ｂを設けない一枚板の構造でも良く、また、これらが設置できる最小限の格子構造としてもよい。
【００５１】
以上述べたように、本発明によれば、システムラックユニット前面に接続された光ケーブルをラックユニット底板に固定したままシステムラックユニット背面まで引き回すことができるので、光ケーブルの曲げ半径が固定されることで、光ケーブルに余分な負荷が掛かることがなく、光ケーブル破断の危険を減らすことができる。
【００５２】
本発明によれば、システムラックユニット前面から、背面まで貫通する光ケーブルを敷設する設置スペースを設け、光ケーブルをユニット機器内でラック前面からラック背面まで引き回すことができるので、ユニット格納スペースを光ケーブルで専有することがなく、ラック内のユニット格納スペースを有効に使用することができる。
【００５３】
また、本発明によれば、格納スペース内に設置したシステムラックユニットがスライド機構を有するので、システムラックユニットを、ラック本体のユニット格納スペース内からスライドして引き出すことができるので、システムラックユニットに設置した機器のメンテナンスが容易となる。
【００５４】
この発明は、その本質的特性から逸脱することなく数多くの形式のものとして具体化することができる。よって、上述した実施形態は専ら説明上のものであり、本発明を制限するものではないことは言うまでもない。
【符号の説明】
【００５５】
１      システムラック
３      ユニット格納スペース
４      ネジ穴
５、５ａ    マウントアングル
６      ネジ
１０    システムラックユニット（ユニット機器）
１０ａ、１０ｂ  ユニット機器
１１    フランジ
１２    ユニット底板
１２ａ  左側壁
１２ｂ  右側壁
１３    スライド機構
１４    スライド開放ネジ
１５    作業スペース
２１    パッチパネル
２２    前面用光コネクタ
２３    融着側光コネクタ
２５    光ケーブル誘導空間
２７    ケーブルクランプ
２８    第二ケーブルクランプ
３０    光ケーブル
３０ａ  融着用光ケーブル
３２    主幹ケーブル
３３    融着トレイ
４２    Ｏ／Ｅ（光−電気）変換器
４３    放送機器
４４    同軸ケーブル
【図１】
2014197043.tif 000003
【図２】
2014197043.tif 000004
【図３】
2014197043.tif 000005
【図４】
2014197043.tif 000006
【図５】
2014197043.tif 000007